(57)【要約】【課題】重要な記事と不要な記事を判定することによって、電子掲示板の記事を自動的に整理する電子掲示板システムを提供する。【解決手段】ネットワークに接続された電子掲示板システムにおいて、当該電子掲示板の各ユーザにより非表示に設定された記事の非表示設定数を計数し、定期的に該非表示設定数から記事の重要度を判定し、一旦不要と判断された後、一定期間不要状態が継続した記事のみ記事属性を変更するようにして、不要となった記事を整理する。【選択図】図１
2006031509.tif 000002
【特許請求の範囲】
【請求項１】
ネットワークに接続された電子掲示板システムにおいて、当該電子掲示板の各ユーザがそれぞれ任意の記事を非表示に設定する非表示設定手段と、各記事の非表示設定数により、記事の重要度を判定する重要度判定手段を有することを特徴とする電子掲示板システム。
【請求項２】
請求項１に記載の電子掲示板システムにおいて、前記重要度判定手段は、一定数以上のユーザから非表示に設定された記事を不要な記事と判定することを特徴とする電子掲示板システム。
【請求項３】
請求項１に記載の電子掲示板システムにおいて、前記重要度判定手段は、一定の割合以上の当該システムのユーザから非表示に設定された記事を不要な記事と判定することを特徴とする電子掲示板システム。
【請求項４】
請求項１乃至３のいずれかに記載の電子掲示板システムにおいて、不要と判定された記事を削除する削除手段を有し、定期的に前記重要度判定手段を動作させて、不要と判定された記事を前記削除手段で自動的に削除するようにしたことを特徴とする電子掲示板システム。
【請求項５】
請求項４に記載の電子掲示板システムにおいて、前記削除手段は、一旦不要と判断された後、一定期間不要状態が継続した記事のみを削除するようにしたことを特徴とする電子掲示板システム。
【請求項６】
請求項１乃至３のいずれかに記載の電子掲示板システムにおいて、不要と判定された記事の属性を変更する属性変更手段を有し、定期的に前記重要度判定手段を動作させて、不要と判定された記事を前記属性変更手段で自動的に変更するようにしたことを特徴とする電子掲示板システム。
【請求項７】
請求項６に記載の電子掲示板システムにおいて、前記属性変更手段は、一旦不要と判断された後、一定期間不要状態が継続した記事のみ記事属性を変更するようにしたことを特徴とする電子掲示板システム。
【請求項８】
ネットワークに接続された電子掲示板システムで管理された記事の整理方法であって、当該電子掲示板の各ユーザにより非表示に設定された記事の非表示設定数を計数し、定期的に該非表示設定数から記事の重要度を判定し、一旦不要と判断された後、一定期間不要状態が継続した記事のみ記事属性を変更するようにして、不要となった記事を整理するようにしたことを特徴とする電子掲示板システムにおける記事整理方法。
【請求項９】
コンピュータを、請求項１乃至７のいずれかに記載された電子掲示板システムとして動作させるためのプログラム
【請求項１０】
請求項９に記載のプログラムを記録したコンピュータ読取可能な記録媒体。
【発明の詳細な説明】
【技術分野】
【０００１】
本発明は、電子掲示板システム、電子掲示板システムの記事整理方法、プログラムおよび記録媒体に関し、具体的には、通信ネットワーク上で複数のユーザが自由に記事を作成・閲覧可能な電子掲示板における記事整理方法に関する。
【背景技術】
【０００２】
従来、同じ意向を持った情報発信者が、テーマを決めて情報交換を効率良く行うことができる環境として電子掲示板が提供されている。この電子掲示板においては、情報発信者が記事を掲示板に投稿することで、電子掲示板内に一連の記事が蓄積され、情報発信者同士が議論を行ったり、情報交換をすることが容易となる。
【０００３】
例えば、ある主題の記事を他の人に発信しようとする情報発信者は、発信しようとする記事（以下、投稿記事という）の内容を電子掲示板に書き込む。電子掲示板に書き込まれた投稿記事の内容は、ネットワークを介して多数の者（不特定人若しくは特定のグループ全員）に閲覧可能となる。
【０００４】
投稿記事の閲覧者は、この投稿記事に対する返答や意見（リプライ、レスポンス、フォローなどとも呼ばれる）等を内容とする記事（以下、投稿に対する返信記事という）を電子掲示板に書き込むことができる。書き込まれた投稿に対する返信記事の内容は、投稿記事と同様に多数の者に閲覧可能となる。
【０００５】
このような投稿記事と投稿に対する返信記事は、主題が共通する記事として一連のつながりを有しており、親子関係を有している。このため、従来の電子掲示板では、投稿−返信関係を有する一連の記事を１つの記事群とみなし、各記事群に属する記事をツリー構造として表示するようにして、記事間の投稿−返信関係を閲覧者が容易に把握できるようにしている。
【０００６】
ここで、ツリー構造上の１つの投稿記事からこの投稿記事が属するツリー構造の最下層に位置する返信記事までのすべての記事のまとまり（同じ主題を持った投稿記事と返信記事の集まり）をスレッドという。
このようなスレッドでは、投稿に対する返信記事が例えば返信された順序に関係なく、順序性の無い記事集合として管理される場合と、返信された順序に従った、順序性を持った記事集合として管理される場合とがある。
【発明の開示】
【発明が解決しようとする課題】
【０００７】
しかし、電子掲示板の運用期間が長くなり、投稿された記事が増加すると、電子掲示板内には重要なことが記述されている記事や、あまり重要ではない記事、過去の記事で現在では不要な記事が混在する状況になってくる。
しかし、多数のユーザが利用する電子掲示板などでは、特定のユーザにとって不要な記事であっても、他のユーザにとっては有用な場合があり得る。
【０００８】
そのため、各個人の判断により、記事を削除することはできず、電子掲示板の管理者や記事の作成者だけが、記事の削除を実行できる仕様となっている場合が多い。その結果、電子掲示板内には多数の記事が氾濫した状態になっている。
【０００９】
本発明は、上述した実情を考慮したものであって、重要な記事と不要な記事を判定することによって、電子掲示板の記事を自動的に整理する電子掲示板システム、電子掲示板システムの記事整理方法、電子掲示板システムの機能を実行するためのプログラムおよびそのプログラムを記録したコンピュータ読取可能な記録媒体を提供することを目的とする。
【課題を解決するための手段】
【００１０】
上記の課題を達成するために、請求項１に記載の発明は、ネットワークに接続された電子掲示板システムにおいて、当該電子掲示板の各ユーザがそれぞれ任意の記事を非表示に設定する非表示設定手段と、各記事の非表示設定数により、記事の重要度を判定する重要度判定手段を有することを特徴とする。
請求項２に記載の発明は、請求項１に記載の電子掲示板システムにおいて、前記重要度判定手段は、一定数以上のユーザから非表示に設定された記事を不要な記事と判定することを特徴とする。
請求項３に記載の発明は、請求項１に記載の電子掲示板システムにおいて、前記重要度判定手段は、一定の割合以上の当該システムのユーザから非表示に設定された記事を不要な記事と判定することを特徴とする。
【００１１】
請求項４に記載の発明は、請求項１乃至３のいずれかに記載の電子掲示板システムにおいて、不要と判定された記事を削除する削除手段を有し、定期的に前記重要度判定手段を動作させて、不要と判定された記事を前記削除手段で自動的に削除するようにしたことを特徴とする。
請求項５に記載の発明は、請求項４に記載の電子掲示板システムにおいて、前記削除手段は、一旦不要と判断された後、一定期間不要状態が継続した記事のみを削除するようにしたことを特徴とする。
【００１２】
請求項６に記載の発明は、請求項１乃至３のいずれかに記載の電子掲示板システムにおいて、不要と判定された記事の属性を変更する属性変更手段を有し、定期的に前記重要度判定手段を動作させて、不要と判定された記事を前記属性変更手段で自動的に変更するようにしたことを特徴とする。
請求項７に記載の発明は、請求項６に記載の電子掲示板システムにおいて、前記属性変更手段は、一旦不要と判断された後、一定期間不要状態が継続した記事のみ記事属性を変更するようにしたことを特徴とする。
【００１３】
請求項８に記載の発明は、ネットワークに接続された電子掲示板システムで管理された記事の整理方法であって、当該電子掲示板の各ユーザにより非表示に設定された記事の非表示設定数を計数し、定期的に該非表示設定数から記事の重要度を判定し、一旦不要と判断された後、一定期間不要状態が継続した記事のみ記事属性を変更するようにして、不要となった記事を整理するようにしたことを特徴とする。
【００１４】
請求項９に記載の発明は、コンピュータを、請求項１乃至７のいずれかに記載された電子掲示板システムとして動作させるためのプログラムである。
請求項１０に記載の発明は、請求項９に記載のプログラムを記録したコンピュータ読取可能な記録媒体である。
【発明の効果】
【００１５】
本発明によれば、電子掲示板の各ユーザがそれぞれ任意の記事を非表示・表示に設定することができ、多くのユーザから非表示の設定がされた記事を不要な記事と判定して、この不要と判定された記事を自動的に削除したり、記事の属性を変更させて、電子掲示板の記事を自動的に整理された状態に保てるので、電子掲示板の使いやすさが向上する。
【発明を実施するための最良の形態】
【００１６】
以下、図面を参照して、本発明の電子掲示板システムに係る好適な実施形態を詳細に説明する。
【００１７】
＜実施形態１＞
図１は、本発明の実施形態１に係る電子掲示板システムの機能構成を示すブロック図であり、同図において、電子掲示板システムは、電子掲示板の一般的な機能のほかに、設定手段１１、重要度判定手段１２、削除手段１３およびデータベース２０を含んで構成されている。
【００１８】
尚、電子掲示板システムは、ユーザによって投稿・閲覧される記事を管理するサーバコンピュータ１０と、このサーバコンピュータ１０にアクセスして記事の投稿や閲覧を行うためのクライアントコンピュータ３０とから構成される。これらのサーバコンピュータ１０とクライアントコンピュータ３０とはそれぞれネットワーク通信インタフェースを備えており、ネットワーク４０を介して接続するようになっている。
【００１９】
まず、データベース２０について説明する。
データベース２０には、記事の保存・管理を行う記事データベース２１と、記事のうち非表示設定したユーザを管理する非表示設定ユーザテーブル２２がある。
このうち、記事データベース２１のデータ構造は、１つの記事に対してそれぞれ、記事ごとにユニークに付けられる記事ＩＤ、記事に関する書誌事項（記事名、記事内容、投稿者、投稿日等）、親記事の記事ＩＤ等のデータ項目から構成されている（図２参照）。
【００２０】
親記事の記事ＩＤは、当該記事がどの記事に基づいて投稿されたのかを示す記事ＩＤである。例えば、図２に示すように、記事ＩＤ＝１の記事は、親記事ＩＤがない（図中”−”で示している）ので、スレッドの最上位にある記事である。また、記事ＩＤ＝２および３の記事は、親記事ＩＤ＝１であるから、記事ＩＤ＝１を親記事とする返信記事（子記事）であることを示している。
【００２１】
非表示設定ユーザテーブル２２は、非表示設定が行われた記事ごとに、非設定を行ったユーザＩＤのリストを保持しており、このユーザ数によって当該記事の重要度を計算するためのテーブルである。この非表示設定ユーザテーブル２２のデータ構造は、非表示設定がなされた１つの記事に対してそれぞれ、記事ＩＤ、人数、非表示設定ユーザリスト等のデータ項目から構成されている（図３参照）。
非表示設定ユーザリストは、当該記事を非表示と設定としたユーザのユーザＩＤのリストであり、人数は、この非表示設定ユーザリストに登録されている人数である。
【００２２】
次に、ユーザが記事データベースにある記事を非表示に設定するときの操作について説明する。
ユーザがクライアントコンピュータ３０からサーバコンピュータ１０へアクセスすると、電子掲示板システムは図４に示したような記事一覧をクライアントコンピュータ３０の表示装置上に表示させる。
【００２３】
図４は、非表示設定されていない記事の一覧を表示した例である。領域４１では、一覧表示の種類を指定する。「一覧表示」のうちの表示区別４１１を選択すると、領域４３にユーザが非表示を設定していない記事の一覧が表示される。表示区別４１１には、記事の「カテゴリ別」、「時間別（投稿日別）」、ユーザ別（投稿者別）がある。
また、「非表示設定記事のみ」４１２を選択すると、ユーザが非表示を設定してある記事の一覧が領域４３へ表示される。
【００２４】
また、領域４２は領域４３の記事一覧の各記事行に対応している。この領域４２のいずれかにチェックして、「一覧表示」が選択されている場合に非表示ボタン４４をクリックすると、非表示設定要求がサーバコンピュータ１０の電子掲示板システムへ送信される。このとき、非表示設定要求には、クライアントコンピュータ３０を操作しているユーザのユーザＩＤと非表示設定したい記事の記事ＩＤのリストとが付加されて送信される。
サーバコンピュータ１０での非表示設定が終了すると、非表示設定された記事が削除された記事一覧が返信され、一覧表示がリフレッシュされることになる。
【００２５】
また、「非表示設定記事のみ」４１２が選択されている場合に表示ボタン４５をクリックすると、表示設定要求がサーバコンピュータ１０の電子掲示板システムへ送信される。このとき、表示設定要求には、クライアントコンピュータ３０を操作しているユーザのユーザＩＤと表示設定（非表示設定の解除）したい記事の記事ＩＤのリストとが付加されて送信される。
サーバコンピュータ１０での表示設定が終了すると、表示設定された記事を削除した非表示設定されている記事の一覧が返信され、一覧表示がリフレッシュされることになる。
【００２６】
次に、サーバコンピュータ１０側での非表示設定要求または表示設定要求を受信した後の処理について説明する。
サーバコンピュータ１０の電子掲示板システムは、クライアントコンピュータ３０から非表示設定要求または表示設定要求を受信すると、設定手段１１を起動する。
設定手段１１は、非表示設定要求を受取った場合には、非表示設定したい記事ＩＤごとに、非表示設定ユーザテーブル２２を検索し、該当記事ＩＤの非表示設定ユーザリストへ受取ったユーザＩＤを追加し、人数を１つカウントアップする。
【００２７】
非表示設定したい記事ＩＤが非表示設定ユーザテーブル２２に存在しないときには、当該記事ＩＤのデータレコードを非表示設定ユーザテーブル２２に追加し、人数を１に、非表示設定ユーザリストへ受取ったユーザＩＤを設定する（図３参照）。
この設定が終了すると、設定手段１１は当該ユーザの非表示設定されていない記事の一覧をクライアントコンピュータ３０へ返信する。
【００２８】
設定手段１１は、表示設定要求を受取った場合には、表示設定したい記事ＩＤごとに、非表示設定ユーザテーブル２２を検索し、該当記事ＩＤの非表示設定ユーザリストから受取ったユーザＩＤを削除し、人数を１つカウントダウンする。このとき、人数が０となったときには、当該記事ＩＤに関するデータレコードを非表示設定ユーザテーブル２２から削除する。
この設定が終了すると、設定手段１１は当該ユーザの非表示設定されている記事の一覧をクライアントコンピュータ３０へ返信する。
【００２９】
次に、非表示設定された記事の整理方法について説明する。
サーバコンピュータ１０の電子掲示板システムは、重要度判定手段１２を定期的（例えば、１日に１回）に動作させ、記事ごとに非表示設定がされた人数により記事の重要度を判定させる。重要度判定手段１２の処理手順を図５のフローチャートを用いて説明する。
非表示設定ユーザテーブル２２に登録されているすべての記事について重要度を判定し終わっていれば（ステップＳ１のＮＯ）、処理を終了して次の重要度判定時期まで待つ。
【００３０】
一方、重要度の判定が行われていない記事があれば（ステップＳ１のＹＥＳ）、非表示設定ユーザテーブル２２における当該記事ＩＤの人数を参照して、電子掲示板のアクセス権が読者権限以上の利用者数に対して一定の割合（この割合は、ユーザや管理者が適宜決定できるものであり、例えば、５０％程度の値である。）以上のユーザから非表示が付与されていれば、その記事を不要な記事と判定する（ステップＳ２）。また、利用者数との割合ではなく、一定数（この定数は、ユーザや管理者が適宜決定できるものであり、例えば、１００人程度の値である。）以上のユーザから非表示の設定が行われている場合に不要記事と判断するようにしてもよい。
【００３１】
重要度が低く「不要」と判定された場合（ステップＳ３のＹＥＳ）、削除手段１３を起動して当該記事を削除し（ステップＳ４）、次の非表示設定された記事を処理するためにステップＳ１へ戻る。
また、重要度が高く「重要」と判定された場合（ステップＳ３のＮＯ）、次の非表示設定された記事を処理するためにステップＳ１へ戻る。
【００３２】
上記ステップＳ４における削除手段１３は、まず、重要度判定手段１２から渡された記事（記事ＩＤ）のレコードを非表示設定ユーザテーブル２２から削除する。
さらに、記事データベース２１から当該記事ＩＤのレコードを削除するとともに、当該記事ＩＤの返信記事の親記事ＩＤを当該記事ＩＤの親記事ＩＤに入れ換える。または、記事データベース２１から記事を削除する場合、次の方法で削除するようにしても良い。
・削除対象の記事に対するすべての返信記事も含めて削除する。
・削除対象の記事の内容のみを削除し、親子関係を示す木構造はそのまま残す。
【００３３】
このように構成することによって、電子掲示板の各ユーザがそれぞれ任意の記事を非表示・表示に設定することができ、各記事の非表示設定数により記事の重要度を判定して、不要と判定された記事を自動的に削除するので、電子掲示板内に不要な記事が滞留することがなくなり、電子掲示板の使いやすさが向上する。
【００３４】
＜実施形態２＞
上記の実施形態１では、不要と判断した時点で記事を削除してしまっていたが、本実施形態２では、不要と判断された時点では一般ユーザからは「失効状態」とするだけで、記事データベースには保持するようにする。このような「失効状態」となった記事は、一般ユーザの通常の一覧表示では表示されないが、「失効状態」の記事のみの一覧表示では表示され閲覧することができる。また、「失効状態」となった記事は、電子掲示板の管理者が削除するか否かを判断したり、あるいは一般ユーザに再度閲覧可能な状態にすることもできる。
【００３５】
本実施形態２に係る電子掲示板システムの機能構成は実施形態１と同じであるから、ここでは相違点のみ説明する。
本実施形態２における記事データベースは、図２の記事データベースに「記事属性」を追加した図６に示すようなデータ構造をとる。
【００３６】
この記事属性には、「閲覧可」および「失効状態」の２種類があり、「閲覧可」の場合には一般ユーザに閲覧可能であり非表示等の設定も可能な記事であり、「失効状態」の場合には電子掲示板システムの管理者によって操作可能な記事であり、一般ユーザには閲覧不可の状態の記事である。この記事属性は、通常「閲覧可」として設定されており、削除手段１３によって「失効状態」に設定される。
【００３７】
重要度判定手段１２は、実施形態１と同様に、定期的に動作して非表示設定が行われた記事に対して重要度を判定する。このとき「不要」と判定された記事に対して削除手段１３を動作させると、削除手段１３は記事データベース２１における当該記事（記事ＩＤ）の記事属性を「失効状態」に設定するとともに、非表示設定ユーザテーブル２２から当該記事ＩＤのレコードを削除する。
【００３８】
このように構成することによって、電子掲示板の各ユーザがそれぞれ任意の記事を非表示・表示に設定することができ、各記事の非表示設定数により記事の重要度を判定して、不要な記事と判定された記事の属性を自動的に変更して、一般ユーザから閲覧できないようになるので、電子掲示板内の不要な記事が整理され、電子掲示板の使いやすさが向上する。
【００３９】
＜実施形態３＞
上記の実施形態１および実施形態２では、不要と判断された記事を直ちに削除したり、あるいは記事属性を変更してしまっていた。実施形態１の場合には、その記事を必要とするユーザが現れた場合、そのユーザは閲覧することができなくなってしまう。また、実施形態２の場合には、電子掲示板の管理者に依頼しないと、一般ユーザは閲覧することができない。
本実施形態３では、一旦不要と判断された後、一定期間（この期間は、ユーザや管理者が適宜決定できるものであり、例えば、半年や１年程度である。）不要状態が継続した記事のみ削除するようにして、この一定期間内ではユーザが非表示の設定を解除することができるようにする。
【００４０】
本実施形態３に係る電子掲示板システムの機能構成は実施形態１と同じであるから、ここでは相違点のみ説明する。
本実施形態３の記事データベース２１は、実施形態１と同じである。また、非表示設定ユーザテーブル２２は、図３の非表示設定ユーザテーブルに「判定時間」と「判定結果」を追加した図７に示すようなデータ構造をとる。この「判定時間」と「判定結果」は、重要度判定手段１２で非表示設定されていた記事の重要度を判定したときの「日時」および「その判定結果」である。
【００４１】
本実施形態３では、実施形態１と同様に、定期的に重要度判定手段１２を動作させて非表示設定が行われた記事に対して重要度を判定する。このとき「不要」と判定された記事に対しては、判定を行った日時と判定結果を非表示設定ユーザテーブル２２へ設定する。この設定のとき、既に判定が行われており、判定結果が同じ場合には判定時間および判定結果は更新しないようにする。
【００４２】
また、本実施形態３では、削除手段１３を定期的（例えば、１日に１回）に動作させ、一旦不要と判断された後、一定期間（例えば、半年や１年程度）不要状態が継続した記事があるかを監視させて、一定期間不要状態が継続した記事のみを削除させる。
【００４３】
削除手段１３は、非表示設定ユーザテーブル２２に設定されている記事の重要度が「不要」であり、その「判定時間」と「現在の日時」との差が一定期間（例えば、半年や１年程度）以上の場合には、当該記事（記事ＩＤ）のレコードを非表示設定ユーザテーブル２２から削除する。さらに、記事データベース２１から当該記事ＩＤのレコードを削除するとともに、当該記事ＩＤの返信記事の親記事ＩＤを当該記事ＩＤの親記事ＩＤに入れ換える。または、記事データベース２１から記事を削除する場合、次の方法で削除するようにしても良い。
・削除対象の記事に対するすべての返信記事も含めて削除する。
・削除対象の記事の内容のみを削除し、親子関係を示す木構造はそのまま残す。
【００４４】
このように構成することによって、電子掲示板の各ユーザがそれぞれ任意の記事を非表示・表示に設定することができ、各記事の非表示設定数により記事の重要度を判定して、不要な記事と判定された後、一定時間後に自動的に記事を削除するようにするので、電子掲示板内に不要な記事が滞留することがなくなり、電子掲示板の使いやすさが向上する。
【００４５】
＜実施形態４＞
上記の実施形態１および実施形態２では、不要と判断された記事を直ちに削除したり、あるいは記事属性を変更してしまっていた。また、実施形態３では、一定期間不要状態が継続した記事はその後削除してしまっていた。
実施形態１の場合には、その記事を必要とするユーザが現れた場合、そのユーザは閲覧することができなくなってしまう。また、実施形態２の場合には、電子掲示板の管理者に依頼しないと、一般のユーザは閲覧することができない。また、実施形態３の場合には、一定期間後に記事が削除されると実施形態１と同様に記事を閲覧することはできない。
【００４６】
本実施形態４では、一旦不要と判断された後、一定期間（この期間は、ユーザや管理者が適宜決定できるものであり、例えば、半年や１年程度である。）不要状態が継続した記事のみ記事属性を変更するようにして、必要な時に電子掲示板システムの管理者によって一般のユーザに閲覧できるようにする。
【００４７】
本実施形態４に係る電子掲示板システムの機能構成は実施形態１と同じであるから、ここでは相違点のみ説明する。
本実施形態４の記事データベース２１は、実施形態２と同じである。また、非表示設定ユーザテーブル２２は、実施形態３と同じである。
【００４８】
本実施形態４では、実施形態３と同様に、定期的に重要度判定手段１２を動作させて非表示設定が行われた記事に対して重要度を判定し、判定を行った日時と判定結果を非表示設定ユーザテーブル２２へ設定する。この設定のとき、既に判定が行われており、判定結果が同じ場合には判定時間および判定結果は更新しないようにする。
【００４９】
本実施形態４では、削除手段１３を定期的（例えば、１日に１回）に動作させ、一旦不要と判断された後、一定期間（例えば、半年や１年程度）不要状態が継続した記事があるかを監視させる。
削除手段１３は、非表示設定ユーザテーブル２２に設定されている記事の重要度が「不要」であり、その「判定時間」と「現在の日時」との差が一定期間（例えば、半年や１年程度）以上の場合には、記事データベース２１における当該記事（記事ＩＤ）の記事属性を「失効状態」に設定するとともに、非表示設定ユーザテーブル２２から当該記事ＩＤのレコードを削除する。
【００５０】
このように構成することによって、電子掲示板の各ユーザがそれぞれ任意の記事を非表示・表示に設定することができ、各記事の非表示設定数により記事の重要度を判定して、不要な記事と判定された後、一定時間後に自動的に記事の属性を変更するので、一般ユーザから閲覧できなくなり、電子掲示板内の不要な記事が整理され、電子掲示板の使いやすさが向上する。
【００５１】
＜実施形態５＞
本発明は、上述した実施形態のみに限定されたものではない。上述した実施形態を構成する各機能をそれぞれプログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
【００５２】
なお、プログラムを格納する記録媒体としては半導体媒体（例えば、ＲＯＭ、不揮発性メモリカード等）、光媒体（例えば、ＤＶＤ、ＭＯ、ＭＤ、ＣＤ等）、磁気媒体（例えば、磁気テープ、フレキシブルディスク等）等のいずれであってもよい。
【００５３】
また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
【００５４】
市場に流通させる場合には、可搬型の記録媒体にプログラムを格納して流通させたり、インターネット等のネットワークを介して接続されたサーバコンピュータの記憶装置に格納しておき、ネットワークを通じて他のコンピュータに転送することができる。この場合、このサーバコンピュータの記憶装置も本発明の記録媒体に含まれる。
なお、コンピュータでは、可搬型の記録媒体上のプログラム、または転送されてくるプログラムを、コンピュータに接続した記録媒体にインストールし、そのインストールされたプログラムを実行することによって上述した実施形態の機能が実現される。
【図面の簡単な説明】
【００５５】
【図１】本発明に係る電子掲示板システムの機能構成を示すブロック図である。
【図２】実施形態１、３における記事データベースのデータ構造例である。
【図３】実施形態１、３における非表示設定ユーザテーブルのデータ構造例である。
【図４】記事の一覧表示例であり、この画面で記事の非表示・表示設定を行う。
【図５】実施形態１における重要度判定手段の処理手順を示すフローチャートである。
【図６】実施形態２，４における記事データベースのデータ構造例である。
【図７】実施形態２、４における非表示設定ユーザテーブルのデータ構造例である。
【符号の説明】
【００５６】
１０…サーバコンピュータ、１１…設定手段、１２…重要度判定手段、１３…削除手段、２０…データベース、２１…記事データベース、２２…非表示設定ユーザテーブル、３０…クライアントコンピュータ、４０…ネットワーク、４１…一覧表示の種類選択領域、４１１…表示区別指示ボタン、４１２…非表示設定記事の一覧選択ボタン、４２…記事選択領域、４３…一覧表示領域、４４…非表示設定ボタン、４５…表示設定ボタン。
【図１】
2006031509.tif 000003
【図２】
2006031509.tif 000004
【図３】
2006031509.tif 000005
【図４】
2006031509.tif 000006
【図５】
2006031509.tif 000007
【図６】
2006031509.tif 000008
【図７】
2006031509.tif 000009